(57)【要約】【課題】ハンガー部を椅子本体に取り付けてなる椅子において、上着を掛けた掛け着状態からスムーズにその上着を外すことができるようにする。【解決手段】上着Ｗの肩部分を下方から支持する肩支持部２１と、上着Ｗを掛けた状態で袖の部分に位置する袖当たり部２１と、取付具７に向かって斜めに伸びるハンガー脚部２３とを具備するハンガー部２を背凭れ５に取り付けた椅子Ｃにおいて、前記ハンガー脚部２３を上開き逆ハの字形状をなすように、また可撓性を有する材料や構造で構成することで、上着を抜き取るときにハンガー部２が変形できるようにした。【選択図】図２
2008246253.tif 000002
【特許請求の範囲】
【請求項１】
座及び背もたれを有する椅子本体とこの椅子本体に取付けられた背広等の上着を掛けるためのハンガー部とを備える椅子であって、
前記ハンガー部が、
前記上着を掛けた掛着状態においてその上着の肩部分を下方から支持する肩支持部と、
前記肩支持部の両外側端部に連設され前記掛着状態において前記上着の袖部分に位置する袖当たり部と、
下方に向けて漸次内方に向かって傾斜し左右一対で上開き逆ハの字形状をなして前記肩支持部及び前記袖当たり部を支持するハンガー脚部と
を具備し、
左右の肩支持部が可撓性のある材質でつながり、かつ左右のハンガー脚部がそれぞれ可撓性を有しており、左右どちらか一方のハンガー脚部をより大きく変形させることができる椅子。
【請求項２】
前記肩支持部、前記袖当たり部及び前記ハンガー脚部が樹脂一体成形されている請求項１記載の椅子。
【請求項３】
前記上着を掛けた掛着状態において前記肩支持部が後方に湾曲した形状をなすように形成されている請求項１又は２記載の椅子。
【請求項４】
前記ハンガー部を前記背凭れに取り付けるための取付具が、
取付具本体と、
前記取付具本体の後方に配置されるハンガー押え具と、
前記取付具本体に前記ハンガー押え具を接近させるように締め付ける締め付けねじと
を具備し、
取付具本体とハンガー押え具とで左右両方のハンガー脚部を前後から挟み、左右のハンガー脚部間に通した締め付けねじで締め込むことでハンガー部の取り付けを行う請求項１、２又は３記載の椅子。
【請求項５】
前記取付具本体によって前記背凭れから前記ハンガー脚部を離間させている請求項４記載の椅子。
【請求項６】
前記取付具本体の外側端部に設けられ後方に突出した起立壁の後方端に前記ハンガー脚部が当接する請求項５記載の椅子。
【発明の詳細な説明】
【技術分野】
【０００１】
本発明は、オフィスなどで好適に使用され、上着などを掛け得るハンガー部を備えている椅子に関するものである。
【背景技術】
【０００２】
従来、自席でデスクワークを行う際に、上着を脱いで自分の椅子の背凭れに掛けるということが行われていたが、その際に袖や裾が床にこすれて汚れたり、自分の背中で押さえて皺になったりという不具合が生じていた。これを解決するために、上着を掛けるためのハンガー部を背凭れに取付けた椅子や椅子に脱着自在に構成されたハンガーが種々開発されている。
【０００３】
このように椅子にハンガー部を取付けた場合、起立した使用者から見て低い位置に有るため、掛けられた上着をハンガー部から外す場合には、襟元や肩部を掴んで上方に引き上げるように抜き取ることが多いが、このような時に、上着の袖の部分がハンガーの左右に張出している部分に引っかからないように、ハンガー部の左右に張出している部分を上方に回転できるようにしたものが知られており（例えば、特許文献１、２参照）、また、これらとは別の対処法として、本願出願人は、ハンガー部の、上着の肩を支持する部分を下方から支える袖当たり部及びハンガー脚部に関して、上部から下部に向けて漸次内方に向けて傾斜した形状にすることで、上着を引き上げた場合に、上着の袖部分が上記傾斜に誘導されて広がるようにしたハンガー付きの椅子を出願している（例えば、特許文献３参照）。
【０００４】
また、掛ける上着の大きさに合わせて上着の肩を支持する部分を左右方向に伸縮させたり、椅子に対するハンガー部自体の位置を上下に昇降させたりできるようにしたものが知られている（例えば、特許文献４参照）。
【特許文献１】実開昭４８−０４８９２２号公報
【特許文献２】実開昭４９−１４５８３４号公報
【特許文献３】特願２００２−１４６６９９号明細書
【特許文献４】特開２０００−１１６４９３号公報
【発明の開示】
【発明が解決しようとする課題】
【０００５】
本発明は、椅子本体にハンガー部を取付けてなる椅子において、ハンガー部に掛けた上着をスムーズに抜き取れるようにすることを所期の目的とする。
【課題を解決するための手段】
【０００６】
本発明では、座及び背もたれを有する椅子本体とこの椅子本体に取付けられた背広等の上着を掛けるためのハンガー部とを備える椅子であって、前記ハンガー部が、前記上着を掛けた掛着状態においてその上着の肩部分を下方から支持する肩支持部と、前記肩支持部の両外側端部に連設され前記掛着状態において前記上着の袖部分に位置する袖当たり部と、下方に向けて漸次内方に向かって傾斜し左右一対で上開き逆ハの字形状をなして前記肩支持部及び前記袖当たり部を支持するハンガー脚部とを具備し、左右の肩支持部が可撓性のある材質でつながり、かつ左右のハンガー脚部がそれぞれ可撓性を有しており、左右どちらか一方のハンガー脚部をより大きく変形させることができる椅子を構成した。
【０００７】
このようなものであれば、掛着状態から上着を引き上げた場合に、その上着の両袖部分でハンガー部の左右の脚部が互いに接近してすぼまるように変形させられ、また、掛着状態から上着を斜め上方に引張った場合、ハンガー部の左右どちらか一方の脚部がより大きく変形するため、上着をスムーズに抜き取ることが出来るようになる。
【０００８】
前記肩支持部、前記袖当たり部及び前記ハンガー脚部を樹脂一体成形すれば、安価に生産し易いものとすることが出来る。
【０００９】
前記上着を掛けた掛着状態において前記肩支持部が着座者の頭部を避けるように後方に湾曲した形状をなすように形成してあれば、ハンガーに掛けた上着が着座者の頭部に触れるなどの邪魔にならない。また、このように後方に湾曲した形状であれば、上着の形状に略合致するため皺になるのを防ぐことが出来る。
【００１０】
前記ハンガー部を前記背凭れに取り付けるための取付具が、取付具本体と、前記取付具本体の後方に配置されるハンガー押え具と、前記取付具本体に前記ハンガー押え具を接近させるように締め付ける締め付けねじとを具備し、取付具本体とハンガー押え具とで左右両方のハンガー脚部を前後から挟み、左右のハンガー脚部間に通した締め付けねじで締め込むことでハンガー部の取り付けを行うものとすれば、取付具が保持するハンガー脚部の位置をその長さ方向に沿って任意に選択できるようになる。
【００１１】
前記取付具本体によって前記背凭れから前記ハンガー脚部を離間させていれば、上着を上方に抜き取る際にスムーズに外すことが出来る。特に、前記取付具本体の外側端部に設けられ後方に突出した起立壁の後方端に前記ハンガー脚部を当接させるようにして、ハンガー部と背凭れとの間に隙間を設けることが好ましい。
【発明の効果】
【００１２】
本発明の椅子によれば、ハンガー部に掛けた上着をスムーズに抜き取ることが可能になる。
【発明を実施するための最良の形態】
【００１３】
以下、本発明の一実施の形態について図面を参照して説明する。本実施形態の椅子Ｃは、オフィスなどで好適に用いられるものであって、椅子本体１と、この椅子本体１に取付けられ背広等の上着を掛けるためのハンガー部２とを備えてなる。
【００１４】
椅子本体１は、キャスタ付きの脚羽根３１及び脚支柱３２からなる脚３と、この脚に支持させた座４と、この座４の後方から起立する背凭れ５と、前記座４の側方から起立させた肘６とを具備するものである。
【００１５】
前記背凭れ５は、例えば樹脂等を素材とした平面視後方へ湾曲させた形状をなす背凭れ本体５１に、薄地のクッション材等からなる背凭れカバー５２を装着したものである。そして、図２、３に示すように、背凭れ５の背面側においては、その背凭れカバー５２に被覆されたカバー被覆領域５１ａは、上端部近傍及び側端部近傍のみに設定されている。また、背凭れ本体５１には、通気や背凭れ５に弾性を与えたり、外観デザインを構成するための孔５１１が複数設けられている。なお、この孔５１１は、少なくとも上下方向には同間隔で形成されている。
【００１６】
ハンガー部２は、パイプ材を折り曲げたり、樹脂などで成形したもので、このハンガー部２に図７、８に示したような上着Ｗを掛けた掛着状態において上着Ｗの肩部分を下方から支持する肩支持部２１と、肩支持部２１の左右両外側端部に連設され袖部分に位置する袖当たり部２２と、この袖当たり部２２の下端に連設され前記肩支持部２１と袖当たり部２２を支持するハンガー脚部２３とを形成して構成したものである。
【００１７】
具体的には、肩支持部２１は、正面視においてほぼ水平もしくは緩やかな上向き凸状をなし（図１参照）、着座者の頭部を避けるように後方に湾曲した形状（図４参照）をなすように形成されている。図示例では、そのほぼ中央の離間部で右部分と左部分に分離されているが、左右の肩支持部２１が離間しておらず、可撓性の有る材質で屈曲できるような形状でつながっているような態様をとることもできる。
【００１８】
袖当たり部２２は、前記肩支持部２１の左右両外側端部を椅子の背凭れの中心方向斜め下方に向くまで円弧状に湾曲させて形成したものである。
【００１９】
また、ハンガー脚部２３は、前記袖当たり部２２の下端部分から内方に向かって漸次直線的に斜めに延長して形成したものであり、椅子に取付けた状態で椅子の正面から見て少なくとも左右方向に可撓性を持たせている。そして、このハンガー脚部２３の水平方向に対する傾斜角度は、本実施形態においては略６０度としている。この傾斜角度は４５度から７５度程度が好ましい角度である。
【００２０】
そして、取付具７を椅子背凭れのカバー非被覆領域５１ｂの孔に背面からねじ止めなどで取付け、取付具７の締め付けねじ７３を緩めてハンガー押え具７４両端部のハンガー差込部７４１に上記ハンガー脚部２３を差込み、締め付けねじ７３を締め付けることでハンガー部２を取付ける。
【００２１】
具体的には、この取付具７は、金属等を素材として、背凭れ５の湾曲した形状に対応させた取付具本体７１と、この取付具本体７１の外側端部から上着Ｗ及びその上着Ｗのボタンとを合わせた厚み幅に対応させた寸法だけ後方に突出させた起立壁７２とを備えてなり、平面視略後ろ向きコ字形で背面視上開き逆ハの字形をなしているものである。そして、この起立壁７２の後方端に前記ハンガー脚部２３を当接させ、そのさらに後方から、金属等を素材として両端部に前記ハンガー脚部２３の下端部を略包み込む断面半円形で、前記起立壁７２の背面視形状に対応した、背面視上開き逆ハの字形のハンガー差込部７４１を持つハンガー押え具７４を被せて、締め付けねじ７３で締めこむようにしている。この構造によると、取付具７にハンガー脚部２３を取付けることでハンガー部２を上開き逆ハの字形状に保持し、取付具７が保持するハンガー脚部２３の位置を、その長さ方向に沿って任意に選択できるようにすることでハンガー脚部２３の長さを変更可能とし、よって左右の肩支持部２１の位置を変更することでハンガー部２の全体幅を調整できるようになる。また、前記起立壁７２により、前記ハンガー部２を、掛着状態において背凭れ５に対して上着Ｗの厚み及び上着Ｗのボタンの直径とを合わせた厚み幅寸法だけ離間させるようにしている。そして、この取付具７を、前記カバー非被覆領域５１bに対して、ねじＶで固定するようにしている。
【００２２】
この固定方法は、背凭れ本体５１に形成された前記孔５１１を利用したものである。具体的には図５、６に示したように、取付具７に、孔５１１の上下間隔に対応させ上下一対の孔７１１を左右に計４つ形成するとともに、背凭れ本体５１の孔５１１の表面側から頭部付きのナットＮを挿入されて構成されている。すなわち、ねじＶを、取付具７の孔７１１を通じてナットＮに締結させることで、取付具７とこの取付具７に固定されているハンガー部２とが、背凭れ５に対して取付けられるようになっている。そして、孔５１１は上下方向に同間隔で３段以上にわたって設けられているので、ねじＶを取付ける孔５１１を選択することにより、ハンガー部２を好みの高さに取付けることが出来る。
【００２３】
また、取付具７の背面視中央部には、取付具７にハンガー押え具７４を締め付けねじ７３で締付けるためのねじ孔７１２が設けられている。ハンガー押え具７４には、上記ねじＶに対応する位置にねじＶの頭より大きな孔が設けられており、取付具７の背面側から重ねたときにねじＶが邪魔にならないようになっている。また、上記ねじ孔７１２に対応する位置に締め付けねじ７３のねじ部よりも大きな孔が設けられている。
【００２４】
本実施形態において、椅子Ｃを上記のように構成したので、図８に示すように、着座者Ｐが立ち上がって、掛着状態から肩部分を持って或いは襟の部分を持って、上に引き上げるようにした場合に、上着のその幅寸法が一旦小さくなってもその袖部分が、ハンガー脚部２３に当たりその傾斜に従って広がって、或いはハンガーの左右ハンガー脚部２３を内側にすぼまるように変形させながら肩支持部２１の外側端部に位置する袖当たり部２２に到達し、袖部分が引っ掛かることなく、スムーズに引き抜くことができる。
【００２５】
また、ハンガー部２を、肩支持部２１をそのほぼ中央部分で左右に分断する、あるいは肩支持部２１を離間させずに可撓性の有る材質でつなぐように構成し、袖当たり部２２をその傾斜角度に沿って延長して、可撓性の有る材質又は構造でハンガー脚部２３を形成したので、上着Ｗを外す時に斜め方向に引き上げた場合であっても、ハンガー脚部２３に袖部分が当接し左右一方の脚部が他方より大きく変形するため、スムーズに抜き取ることが出来る。
【００２６】
そして、ハンガー脚部２３に可撓性があるため、掛着状態において肩支持部２１が左右に適度に広がり、袖当たり部２２が上着Ｗの袖部分に当接し、幅方向の動きが規制され上着Ｗがずれにくい。
【００２７】
また、ハンガー脚部２３を、取付部７に左右方向斜めにかつ取付位置をその長さ方向に沿って選択可能に固定するようにしているので、取付位置を変更することでハンガー部左右の袖当たり部２２の位置が変わり、よってハンガー部全体の幅寸法が変わるため、掛ける上着の肩幅に合わせてハンガー全体の幅を調節することが出来る。
【００２８】
取付具７を、背凭れ５に形成された孔５１１にナットＮを差込んでこのナットＮにねじＶを締結することで固定するようにしたので、背凭れ５にハンガー部２を取付けるための加工を施さずとも良い。また、本実施形態においては、孔５１１が少なくとも上下に一定の間隔で形成されているので、ナットＮを取付ける孔５１１の位置を変更すれば、簡単にハンガー部２の高さを調整することが出来、上記、ハンガー部２全体の幅調節に伴って変わった高さを単独で調節、また様々な背丈の上着に対応できる。
【００２９】
取付具７をカバー非被覆領域５１ｂに対して固定するようにしているので、背カバー５２に対して何ら加工をせずとも良く、また、ハンガー部２を取付けた状態で、背カバー５２を交換することが出来る。
【００３０】
肩支持部２１を背凭れ５の後端よりも後方に位置させ、また、肩支持部２１を後方に湾曲させて形成したので、このようにハンガー部２を設けた椅子Ｃであっても、ハンガー部２及びハンガー部２に掛けた上着Ｗが着座者の頭部に対して触れるなどの邪魔にならない。また、このように後方に湾曲した形状であれば、上着Ｗの形状に略合致するため皺になるのを防ぐことが出来る。
【００３１】
取付具７に起立壁７２を設けて、ハンガー部２を掛着状態において背凭れ５に対して、上着Ｗの厚み及びその上着Ｗのボタンの直径とを合わせた厚み寸法だけ離間させるようにしたので、上着Ｗを上方に抜き取る際に、ハンガー部２と背凭れ５との隙間にボタンを引っ掛からせない様にしてスムーズに外すことが出来る。
【００３２】
左右肩支持部２１間の間隔調整機能を省略して、ハンガー部２に可撓性を持たせるところを活かし、全体を樹脂等で一体成形すれば安価に生産し易いものとすることが出来る。
【００３３】
本発明は、上記実施形態に限られない。椅子の形状は、本実施形態のようなものに限らず折畳み椅子のようなものであっても良い。
【００３４】
また、ハンガー部２に上着などを掛けた掛着状態の安定性と、上着を引き上げる時のハンガー脚部２３の変形性を両立させるためには、ハンガー部２が椅子の左右方向に撓み容易で前後方向には撓み難くすることが有効と考えられ、そのためには、少なくともハンガー脚部２３の断面を椅子の前後方向に長い楕円形状にすることなどが考えられる。
【００３５】
その他、各部の具体的構成についても上記実施形態に限られるものではなく、本発明の趣旨を逸脱しない範囲で種々変形が可能である。
【図面の簡単な説明】
【００３６】
【図１】本発明の一実施形態を示す正面図。
【図２】同背面図。
【図３】同側面図。
【図４】同平面図。
【図５】図２におけるＸ−Ｘ線断面図。
【図６】本実施形態におけるハンガー部に上着を掛けた掛着状態を示す説明図。
【図７】本実施形態におけるハンガー部から上着を外す様子を示す説明図。
【図８】本実施形態におけるハンガー部から上着を斜め上方に外す様子を示す説明図。
【符号の説明】
【００３７】
１…椅子本体
２…ハンガー部
２１…肩支持部
２２…袖当たり部
２３…ハンガー脚部
３…脚
３１…脚羽根
３２…脚支柱
４…座
５…背凭れ
５１…背凭れ本体
５１ａ…カバー被服領域
５１ｂ…カバー非被服領域
５１１…通気孔
５２…背カバー
６…肘
７…取付具
７１…取付具本体
７１１…孔
７１２…ねじ孔
７２…起立壁
７３…締め付けねじ
７４…ハンガー押え具
７４１…ハンガー差込部
Ｖ…ねじ
Ｎ…ナット
Ｗ…上着
【図１】
2008246253.tif 000003
【図２】
2008246253.tif 000004
【図３】
2008246253.tif 000005
【図４】
2008246253.tif 000006
【図５】
2008246253.tif 000007
【図６】
2008246253.tif 000008
【図７】
2008246253.tif 000009
【図８】
2008246253.tif 000010